(57)【要約】【課題】ユーザーが負担メーカーの広告を表示することにより、ＰＣ使用、不使用等の使用形態によらず安価な記録カートリッジを提供すること。【解決手段】記憶素子を備えた交換型記録カートリッジにおいて、前記記録カートリッジの原価を少なくとも１社以上のメーカーで負担すると共に、前記記憶素子は、前記負担メーカーへのアクセス情報を保持記憶し、前記記録カートリッジ使用時に前記アクセス情報が表示される第１の段階と、前記アクセス情報表示を停止する第２の段階を有し、前記第１の段階から第２の段階への移行が、前記負担メーカーからの物品での購買行為に基づき行われるものとする。又、前記アクセス手段は記録装置以外の端末で認識可能である。前記アクセスは記録装置と記録装置以外の端末を接続することにより行われる。【選択図】図１
2006146480.tif 000002
【特許請求の範囲】
【請求項１】
記憶素子を備えた交換型記録カートリッジにおいて、
前記記録カートリッジの原価を少なくとも１社以上のメーカーで負担すると共に、前記記憶素子は、前記負担メーカーへのアクセス情報を保持記憶し、前記記録カートリッジ使用時に前記アクセス情報が表示される第１の段階と、前記アクセス情報表示を停止する第２の段階を有し、前記第１の段階から第２の段階への移行が、前記負担メーカーからの物品での購買行為に基づき行われることを特徴とする記録カートリッジ。
【請求項２】
前記アクセス手段がＰＣ上からのインターネットのＨＰリンクであることを特徴とする請求項１記載の記録カートリッジ。
【請求項３】
前記アクセス手段が記録装置以外の端末で認識可能であることを特徴とする請求項１記載の記録カートリッジ。
【請求項４】
前記アクセスが記録装置と記録装置以外の端末を接続することにより行われることを特徴とする請求項１記載の記録カートリッジ。
【発明の詳細な説明】
【技術分野】
【０００１】
本発明は、記録装置及び記録装置消耗品の提供方法に関するものである。
【背景技術】
【０００２】
インクジェット記録装置は、当初は、主として紙等の記録媒体に文字等のテキストを印字するために用いられていたが、近年では、小液滴化、多階調化の技術的進歩に伴って、写真調の画像形成にも用いられるようになってきている。又、最近では、デジタルカメラの普及も手伝って、インクジェット記録装置の適用範囲は、写真調印字やグラフィックアート等の分野にまで拡大している。
【０００３】
又、近年の記録装置は、記録ヘッドの寿命が、搭載される記録カートリッジに収納されたインク量に比較して極めて長いことに加え、エコロジーの観点から、特許文献１にて提案されているように、記録装置の記録ヘッドと記録カートリッジとを着脱自在とし、インクの終了した記録カートリッジのみを交換する構成が提案され、該記録カートリッジが大量に消耗されるに伴い、ユーザーからは消耗品である記録カートリッジをより安価にして欲しいという要求が高まっている。
【０００４】
しかし、記録カートリッジを販売する上で、製造コストの削減には限界があるため、製品価格の低下にも制約限界が生じ、製造者はユーザーの要求に必ずしも十分には応えることが難しいできない。
【０００５】
安価にインクタンクを提供する手段として、特許文献２にて提案されているように、インクタンクに提供情報を記憶させ、使用時にユーザーの情報と記憶した情報を混在させて印字することにより、製造原価を折半する方法がある。
【０００６】
【特許文献１】特開平０８−０４８０４４号公報
【特許文献２】特開２００３−３２６７７５号公報
【発明の開示】
【発明が解決しようとする課題】
【０００７】
近年、印字用紙のフチまで印字するフチ無し印刷に対応する記録装置が普及したこともあり、写真等の印字の際には印字用紙の余白がなく、ユーザー情報と提供情報を混在させて印字することが困難となっている。
【０００８】
更に、近年はＰＣ等を介さないでデジタルカメラやカメラ付き携帯電話等と記録装置を直接接続（Ｎｏｎ−ＰＣ）して印字を行うダイレクトプリントも普及してきている。
【０００９】
しかし、Ｎｏｎ−ＰＣの場合、従来ＰＣで処理していた作業を、記録装置内部で行う必要があるが、コスト及びスペース上の制約から、記録装置の処理能力はＰＣと同等の性能を持つことができず、より軽い処理で情報提供する手段が必要となってくる。
【００１０】
又、記憶素子に会社ロゴ等、大容量のデータを記憶させるためには大容量の記憶素子が必要となり、コストアップに繋がってしまう。
【００１１】
本発明は上記問題に鑑みてなされたもので、その目的とする処は、ユーザーが負担メーカーの広告を表示することにより、ＰＣ使用、不使用等の使用形態によらず安価な記録カートリッジを提供することにある。
【課題を解決するための手段】
【００１２】
上記目的を達成するため、本発明は、記憶素子を備えた交換型記録カートリッジにおいて、前記記録カートリッジの原価を少なくとも１社以上のメーカーで負担すると共に、前記記憶素子は、前記負担メーカーへのアクセス情報を保持記憶し、前記記録カートリッジ使用時に前記アクセス情報が表示される第１の段階と、前記アクセス情報表示を停止する第２の段階を有し、前記第１の段階から第２の段階への移行が、前記負担メーカーからの物品での購買行為に基づき行われることを特徴とする。
記憶素子を備えた交換型記録カートリッジにおいて、前記記録カートリッジの原価を少な  又、前記アクセス手段が記録装置以外の端末で認識可能であることを特徴とする。
【００１３】
更に、前記アクセスが記録装置と記録装置以外の端末を接続することにより行われることを特徴とする
【発明の効果】
【００１４】
本発明によれば、ユーザーが負担メーカーの広告を表示することにより、ＰＣ使用、不使用等の使用形態によらず安価な記録カートリッジの提供が可能となる。
【００１５】
又、ユーザーは、広告により安価な記録カートリッジを提供したメーカーで購買行為を行った場合、広告表示を停止することも可能となる。
【００１６】
負担メーカーは、提供ユーザーの購買行為により負担額の回収が可能となる他、ユーザーが記録カートリッジを使用するタイミングで負担メーカーのＨＰ等の表示を行うことにより、配布時のみでなく、印字操作を行う毎に定期に宣伝を行うことが可能となるとともに、提供ユーザーが負担メーカーへ直接アクセスを行うことにより、宣伝効果の確認を自社で行うことが可能となる。
【００１７】
又、記憶素子への記録情報量を最小限に抑えることが可能となる。
【発明を実施するための最良の形態】
【００１８】
以下に本発明の実施の形態を添付図面に基づいて説明する。
【００１９】
＜実施の形態１＞ＰＣ接続＋インターネット接続
図１は本発明における記録カートリッジ１のコスト内訳を模式化したものである。
【００２０】
記録カートリッジ１は、従来、ユーザーが記録カートリッジ１を購入する際の金額は、製造原価・利益・物流コストのトータル（ａ）であった。
【００２１】
本発明における記録カートリッジ１を、負担メーカーに卸す際、販売利益・物流コストの一部を引いた価格で卸す（ｂ）。
【００２２】
負担メーカーは、販売利益・物流コストの一部を宣伝費で負担し、卸値で、ユーザーに提供する（ｃ，ｄ）。
【００２３】
よって、ユーザーは負担メーカーの宣伝費分安価な記録カートリッジ１を購入することが可能となる。
【００２４】
記録カートリッジ１には記憶素子４（図３参照）が搭載されており、記録素子４内部には負担メーカーのインターネット上のアドレス（以下、ＵＲＬ）及び２次元のマトリックスを形成する広告データ、ポイントデータ及び情報表示停止条件をが記憶されせている。
【００２５】
ポイントデータは、ユーザーが負担メーカーで購買行為及び所定のＨＰ（広告・オンラインショップページ）を表示することにより得られ、購買品目によりポイントが定められている。
【００２６】
例えば、負担メーカーの情報表示停止までｘポイント必要な場合、１回の広告表示で１ポイント、購買行為で１ポイント得られるとすると、ユーザーが記録カートリッジ１を１回使用すると、広告表示で１ポイント得られる。よって  ユーザーは記録カートリッジ１をｘ回使用すると情報表示停止条件を満足する（ｅ）。
【００２７】
又、ユーザーが広告ＨＰで１ポイントの購買を行った場合、広告ページの表示で１ポイント、購買により１ポイントの計２ポイントが得られ、ｘ／２回で情報表示停止条件を満足する（ｆ）。
【００２８】
又、ユーザーが広告ＨＰでｘポイントの購買を行った場合、広告ページの表示で１ポイント、購買によりｘポイントの計ｘ＋１ポイントが得られ、１回で情報表示停止条件を満足する（ｇ）。
【００２９】
図２は本発明における記憶素子４を搭載した記録カートリッジ１をＰＣ２に接続した記録装置３に搭載した際のフローであり、図３は実施中の記録装置３とＰＣ２を示したものである。
（１）記録カートリッジ１を記録装置３に装着搭載
記録カートリッジ１を記録装置３に装着搭載すると、記録カートリッジ１に搭載した記憶素子４と記録装置１が電気的導通が確立されるとともに、記録装置１は記録カートリッジ１を使用可能な状態にするため所定の動作を行う。
（２）記憶素子４データ読込み
ユーザーがＰＣ２より記録装置３に印字データを送ると、記録装置３はデータを受信し印字開始の状態となる。このとき、記録装置３は、電気的導通を行っている記憶素子４のポイントデータ及び情報表示停止条件を読み込む。
（３）情報表示判定
（２）で記憶素子４から読み込んだポイントデータが、同じく記憶素子４から読み込んだ情報表示停止条件を満足するかの判定を行う。
【００３０】
例えば、情報表示停止条件がｘポイントの際、現在のポイントがｘ／３０とすると、停止条件に未達と判定（（４））する。同様に、ポイントがｘ以上の場合は達成と判断（（４’））する。
（４）情報表示停止条件に未達と判定した場合
情報表示停止条件に未達と判定した場合、記録装置３は記憶素子４内の広告データを読込むとともに、送信元形態判定を行う。
【００３１】
送信元形態判定は、送信元の端末の形態に適した表示を行うために実施するものである。印字データ送信元がＰＣ２の場合、受信側である記録装置３とは物理的に接続され、ＰＣ２がインターネット網９への接続手段を有しているが、印字データ送信側が携帯端末７や画像処理装置８（例えばデジタルカメラ）の場合、インターネット網９への接続手段を有していない場合がある。
【００３２】
又、広告内の情報は、ＰＣ２上では表示可能な情報が多いが、携帯端末では表示可能な情報が制限される場合があるため、形態を判定することによりＰＣ２及び携帯端末７それぞれに適したインターネット網９へのアクセス手段を提供する。
【００３３】
送信元判定により、印字データが記録装置３と接続されたＰＣ２から送信されたと判断した場合、広告データからＵＲＬを生成し、ＰＣ２上で動作しているＯＳ上にＨＰ５表示手段であるブラウザを起動させるとともに、ＰＣ２上のＯＳを介しブラウザにＵＲＬを転送後、記録装置３に対して印字開始のフラグを立てる。
【００３４】
ブラウザは、転送されたＵＲＬからインターネット網９を介して負担メーカーの本発明における記録カートリッジ１アクセス専用ページに接続され、ユーザーはオンラインで負担メーカーから購買可能な状態となる。
（５）印字開始
印字開始のフラグ確認後、記録装置１は（２）にて受信した印字データの印字を開始する。
（４’）結果、情報表示停止条件達成と判断
情報表示停止条件に達成と判定した場合は、印字開始のフラグのみを立てる。
（５’）印字が開始される
印字開始のフラグ確認後、記録装置１は（２）にて受信した印字データの印字を開始する。
【００３５】
以上により  印字が開始されるが、ユーザーは負担メーカーの広告HPを閲覧可能な状態となるだけで安価な記録カートリッジ１の使用が可能となり、負担メーカーは、ユーザーがＨＰにて購買行為を行わない場合でもＨＰ表示にて広告行為自体は実施され、負担メーカーの広告となりポイントが加算される。
【００３６】
更に、前記ページ５でユーザーが購買した場合、負担メーカーのＨＰから購入金額に合わせたポイントがインターネット網９を介してＰＣ２に転送される。ＰＣ２にて受信したポイントデータは、ＰＣ２上で記録装置３を動作させるためのソフトウェアであるドライバに一時保存する。
【００３７】
印字終了後ポイント確認を行い、ドライバからポイントデータを受信した場合は、ポイント計算を行い、変更記憶素子４内のデータを更新し、記録装置３は、次の印字データを受信するまで待機状態となる（受信後（２））再度ポイント確認（３）を行う）。
【００３８】
よって、ユーザーはポイント達成まで毎印字ごとに負担メーカーの広告（ＨＰ）が表示されることとなる。
【００３９】
又、負担メーカーからユーザーへの提供価格、ポイント及び区分は、負担メーカーが任意に設定可能であり、提供したユーザーが負担メーカーのＨＰで消費する見込み額や負担メーカーが提供時の広告費の回収に必要若しくは相当すると判断する範囲で設定しても良く、例えば無料でも良いし、製造メーカーと同等でも良いし、負担メーカーの特典等追加することで高く設定しても良い。
【００４０】
又、ドライバと記憶素子４間がリアルタイムに双方向通信可能な場合、ＰＣ２から記録装置３へ送信する印字データと並行して転送しても良い。
【００４１】
＜実施の形態２＞ＰＣ接続＋インターネット未接続
次に、本発明の実施の形態２について図面を参照して説明する。
【００４２】
図４は本発明における記録カートリッジ１をインターネット網９に接続されていないＰＣ２に接続した記録装置３に搭載した際のフローであり、図５は実施中の記録装置３とＰＣ２及びインターネット網９との接続を行う携帯端末７を示したものである。
【００４３】
ポイント確認（３）まで及び（４）’，（５）’は実施の形態１と同様のフローにより省略する。
（４）表示停止条件に未達と判断
情報表示停止条件に未達と判定した場合、記録装置３は記憶素子４内の広告データを読込むとともに、送信元形態判定時に、インターネット網９への接続状態の判定も行う。
【００４４】
実施の形態１では、印字データ送信元であるＰＣ２と、受信側である記録装置３は物理的に接続され、ＰＣ２がインターネット網９への接続手段を有している場合であったが、ＰＣ２がインターネット網９に接続されていない場合、ＰＣ２のブラウザ上にはエラーが表示され、負担メーカーのＨＰが表示されない。よって、インターネット網９にＰＣ２が接続されているかの判断を行い、接続されていない場合にインターネット網９へのアクセス手段を提供する。
【００４５】
記録装置３若しくは記録装置３と接続されたＰＣ２が、送信元判定により、印字データがＰＣ２から送信され、インターネット網９に接続されていないと判定した場合、記憶素子４から読み込んだ広告データー内の２次元コード６生成データから２次元コード６を生成し、ＰＣ２上で動作しているＯＳ上に２次元コード６を画面上に表示させるとともに、印字開始可能のフラグを立てる。
【００４６】
ユーザーは、画面上に表示された２次元コード６をインターネット網９に接続可能な携帯端末７（例えば、カメラ付き携帯電話等）で認識させると、携帯端末７のインターネット網９を介して負担メーカーの本発明における記録カートリッジ１アクセス専用ページに接続され、ユーザーはオンラインで負担メーカーから購買可能な状態となる。
（５）印字開始
印字開始のフラグ確認後、記録装置１は（２）にて受信した印字データの印字を開始する。
【００４７】
以上により印字が開始されるが、ユーザーは負担メーカーの広告ＨＰを閲覧可能な状態となるだけで安価な記録カートリッジ１の使用が可能となり、負担メーカーは、ユーザーがＨＰにて購買行為を行わない場合でも  ＨＰ表示にて広告行為自体は実施され、負担メーカーの広告となりポイントが加算される。
【００４８】
更に、前記ページ５でユーザーが購買した場合、負担メーカーのＨＰから購入金額に合わせたポイントがインターネット網９を介して携帯端末７に転送される。
【００４９】
印字終了後、携帯端末７とＰＣ２を有線接続し、携帯端末７にて受信したポイントデータを、ＰＣ２上で記録装置３を動作させるためのドライバに一時保存し、ポイント計算を行い、記憶素子４内のデータを書き換え、記録装置３は、次の印字データを受信するまで待機状態となる（受信後（２）再度ポイント確認（３）を行う）。
【００５０】
又、本実施の形態においては、２次元コード６としたが、端末が認識可能な方法であれば限定するもではなく、文字列を表示し、表示された文字列を携帯端末７にて入力することによりアクセスしても良い。
【００５１】
送信元ＰＣ２がインターネットに接続されているかの判定は、ＯＳのネットワーク状態の判定から行っても良く、ＨＰ５が表示できないため、ブラウザから返信されるエラー信号を検出しても良い。
【００５２】
携帯端末７とＰＣ２との接続はデータ交換可能な形態であれば有線に限定するものではなく、無線や記憶媒体を介してでも良い。
【００５３】
＜実施の形態３＞Ｎｏｎ−ＰＣ接続
次に、本発明の実施の形態３について図面を参照して説明する。
【００５４】
図６は本発明における記録カートリッジ１をＰＣ２を介さない環境の記録装置３に搭載した際のフローである。
【００５５】
図７は実施中の記録装置３と画像処理装置８（例えば、デジタルカメラ等）、インターネット網９との接続を行う携帯端末７を示したものである。
【００５６】
記録装置３への搭載（１）及び（４）’, （５）’は実施の形態１と同様のフローにより省略する。
（２）記憶素子４データ読込み
ユーザーが画像処理装置８より記録装置３に印字データを送ると、記録装置３はデータを受信し印字開始の状態となる。このとき、記録装置３は、電気的導通を行っている記憶素子４のポイントデータ及び情報表示停止条件を読み込む。
（３）情報表示判定
（２）で記憶素子４から読み込んだポイントデータが、同じく記憶素子４から読み込んだ情報表示停止条件を満足するかの判定を行う。
【００５７】
例えば、情報表示停止条件がｘポイントの際、現在のポイントがｘ／３０とすると、停止条件に未達と判定（（４））する。同様に、ポイントがｘ以上の場合は達成と判断（４’））する。
（４）表示停止条件に未達と判断
情報表示停止条件に未達と判定した場合、記録装置３は記憶素子４内の広告データを読込むとともに、送信元形態判定時に、インターネット網９接続状態の判定も行う。
【００５８】
送信元判定により、印字データが画像処理装置８から送信され、インターネット網９に接続されていないと判定した場合、記憶素子４から読み込んだ広告データ内の２次元コード６生成データから２次元コード６を生成し、記録装置３に搭載した表示部１０に２次元コード６を表示させるとともに、印字開始可能のフラグを立てる。
【００５９】
ユーザーは、表示部１０上に表示された２次元コード６をインターネット網９に接続可能な携帯端末７（例えば、カメラ付き携帯電話等）で認識させると、携帯端末７からインターネット網９を介して負担メーカーの本発明における記録カートリッジ１アクセス専用ページに接続され、ユーザーはオンラインで負担メーカーから購買可能な状態となる。
（５）印字開始
印字開始のフラグ確認後、記録装置１は（２）にて受信した印字データの印字を開始する。
【００６０】
以上により負担メーカーの宣伝費分の価格を引いた記録カートリッジ１を使用しての印字が開始されるが、ユーザーは負担メーカーの広告ＨＰを閲覧可能な状態となるだけで安価な記録カートリッジ１の使用が可能となり、負担メーカーは、ユーザーがＨＰにて購買行為を行わない場合でも、ＨＰ表示にて広告行為自体は実施され、負担メーカーの広告となりポイントが加算される。
【００６１】
更に、前記ページ５でユーザーが購買した場合、負担メーカーのＨＰから購入金額に合わせたポイントがインターネット網９を介して携帯端末７に転送される。
【００６２】
印字終了後、携帯端末７と記録装置３を非接触回線（例えば、赤外線通信）にて接続し、携帯端末７にて受信したポイントデータを記録装置３内に一時保存し、ポイント計算を行い記憶素子４内のデータを書き換え、記録装置３は、次の印字データを受信するまで待機状態となる（受信後（（２））再度ポイント確認（（３））を行う）。
【００６３】
又、本実施の形態においては、２次元コード６としたが、端末が認識可能な方法であれば限定するものではなく、文字列を表示し、表示された文字列を携帯端末７にて入力することによりアクセスしても良く、更には携帯端末７と記録装置３若しくは記憶素子４間で、Bluetooth 等の非接触通信を用いることで、ユーザーが認識行為を行うことなく負担メーカーＨＰ５を表示させても良い。
【００６４】
携帯端末７とＰＣ２との接続はデータ交換可能な形態であれば有線に限定するものではなく、無線や記憶媒体を介してでも良い。
【００６５】
又、本実施の形態における、画像処理装置８をデジタルカメラとしているが、例えば図８及び図９に示すように、カメラ付き携帯電話等でも良く、この場合、画像処理装置８と表示部１０が共通化可能となる。
【図面の簡単な説明】
【００６６】
【図１】記録カートリッジ１の原価を示した模式図である。
【図２】本発明の実施の形態１のフロー図である。
【図３】本発明の実施の形態１を示す模式図である。
【図４】本発明の実施の形態のフロー図である。
【図５】本発明の実施の形態を示す模式図である。
【図６】本発明の実施の形態３のフロー図である。
【図７】本発明の実施の形態３を示す模式図である。
【図８】本発明の実施の形態３のフロー図である。
【図９】本発明の実施の形態３を示す模式図である。
【符号の説明】
【００６７】
１  記録カートリッジ
２  ＰＣ
３  記録装置
４  記憶素子
５  ＨＰ
６  ２次元コード
７  携帯端末
８  画像処理装置
９  インターネット網
１０  表示部
【図１】
2006146480.tif 000003
【図２】
2006146480.tif 000004
【図３】
2006146480.tif 000005
【図４】
2006146480.tif 000006
【図５】
2006146480.tif 000007
【図６】
2006146480.tif 000008
【図７】
2006146480.tif 000009
【図８】
2006146480.tif 000010
【図９】
2006146480.tif 000011